(57)【要約】【課題】偶発故障を生じたＬＤの頓死劣化の進行を抑圧して急速に信号断となることを防止する。【解決手段】光増幅部１１は、光増幅用の活性物質を添加した増幅媒体１１ａと、励起光を発出する励起光源１１ｂとから構成され、励起光を増幅媒体１１ａに入射して光増幅を行う。制御部１３は、励起光をモニタし、励起光源１１ｂを駆動するための駆動電流を供給する。また、制御部１３は、励起光の出力レベルが低下する割合であるレベル変動率をモニタし、レベル変動率がしきい値より大きい場合は、駆動電流を低減して励起光の出力レベルを低下させる。【選択図】図１
2008140901.tif 000002
【特許請求の範囲】
【請求項１】
光信号の増幅を行う光増幅装置において、
光増幅用の活性物質を添加した増幅媒体と、励起光を発出する励起光源と、を備え、前記励起光を前記増幅媒体に入射して光増幅を行う光増幅部と、
前記励起光をモニタし、前記励起光源を駆動するための駆動電流を供給する制御部と、
を有し、
前記制御部は、前記励起光の出力レベルが低下する割合であるレベル変動率をモニタし、
前記レベル変動率がしきい値より大きい場合は、前記駆動電流を低減して前記励起光の出力レベルを低下させる、
ことを特徴とする光増幅装置。
【請求項２】
前記制御部は、前記レベル変動率がしきい値より大きい場合は、前記励起光源に偶発故障が発生していると判断し、前記偶発故障による前記励起光源の劣化の進行が遅れるように、前記駆動電流を低減して前記励起光の出力レベルを低下させることを特徴とする請求項１記載の光増幅装置。
【請求項３】
前記励起光源が初期出力パワーＰの運用時に、一定時間ｍで前記励起光の電力量がΔｐ低下すると前記偶発故障の発生とみなせる場合に、前記励起光源を前記初期出力パワーＰより１／ｎ（ｎは整数）低い出力パワーＰ／ｎで運用した際には、前記制御部は、前記しきい値をΔｐ／ｎ2と設定し、前記レベル変動率が一定時間ｍの間にΔｐ／ｎ2より大きい場合には、前記励起光源に前記偶発故障が生じていると判断し、または前記しきい値をΔｐと設定し、前記レベル変動率が一定時間（ｍ×ｎ2）の間にΔｐより大きい場合には、前記励起光源に前記偶発故障が生じていると判断することを特徴とする請求項２記載の光増幅装置。
【請求項４】
前記制御部は、前記レベル変動率が前記しきい値を超えずに、前記励起光の出力レベルが低下し続ける場合は、前記偶発故障が起きているならば前記劣化が一時的に加速するように、前記駆動電流を一定時間増加供給し、前記励起光の出力レベルを増加させた後の前記レベル変動率をモニタすることで、前記偶発故障による出力レベル低下か否かを判断することを特徴とする請求項２記載の光増幅装置。
【請求項５】
前記制御部は、前記偶発故障の発生と無関係な、前記励起光源の出力レベル低下を検出した場合は、前記駆動電流を増加して、前記励起光源の出力レベル一定制御を行うことを特徴とする請求項２記載の光増幅装置。
【発明の詳細な説明】
【技術分野】
【０００１】
本発明は光増幅装置に関し、特に光信号の増幅を行う光増幅装置に関する。
【背景技術】
【０００２】
光信号の増幅器には、ＥＤＦＡ（Erbium-Doped Fiber Amplifier）が広く使用されている。ＥＤＦＡは、希土類としてＥｒ（エルビウム）が光ファイバのコアに添加されたＥＤＦ（Erbium-Doped Fiber）を光増幅媒体とする、Ｅｒ添加型光ファイバ増幅器である。ＥＤＦＡは、励起光をＥＤＦに照射して光信号を進行させ、そのとき生じる誘導放出によって、光信号のレベルを増幅させる。
【０００３】
一方、ＷＤＭ（Wavelength Division Multiplexing）伝送用の光増幅器では長距離伝送及び多波長多重伝送を実現するために、大パワー出力特性（波長多重数が多くなるにつれ増幅出力を大きくする）と、低雑音特性（増幅後のＯＳＮＲ（Optical Signal Noise Ratio）劣化を抑える）の両立が求められる。
【０００４】
このためＥＤＦＡでＷＤＭ信号を光増幅する場合は、低雑音特性が得られる０．９８μｍ光の励起と、大パワー出力を得られる１．４８μｍ光の励起とを併用した光増幅制御が一般的に行われている。
【０００５】
図１５は光増幅装置の概略図である。光増幅装置５０は、前段ＥＤＦＡ５１、後段ＥＤＦＡ５２、駆動制御部５３から構成され、前段ＥＤＦＡ５１は、前段ＥＤＦ５１ａとＬＤ（Laser Diode）５１ｂを含み、後段ＥＤＦＡ５２は、後段ＥＤＦ５２ａとＬＤ５２ｂとを含む。
【０００６】
ＬＤ５１ｂは、駆動制御部５３から送信された駆動電流ｃ１を受けて、０．９８μｍの励起光を前段ＥＤＦ５１ａへ入射し、前段ＥＤＦ５１ａは、光ファイバから流れてきたＷＤＭ信号を増幅して出力する。ＬＤ５２ｂは、駆動制御部５３から送信された駆動電流ｃ２を受けて、１．４８μｍの励起光を後段ＥＤＦ５２ａへ入射し、後段ＥＤＦ５２ａは、前段ＥＤＦ５１ａから出力されたＷＤＭ信号を再度増幅して光ファイバ上へ送出する。
【０００７】
光増幅後のＯＳＮＲは、光増幅器のＮＦ（Noise Factor）と入力レベルに依存するので（ＮＦは小さい方がＯＳＮＲは良くなり、入力レベルは高い方がＯＳＮＲは良くなる）、上記のようにＷＤＭ伝送では、ＯＳＮＲ劣化を最小限に抑えるために、微弱な光信号をＮＦ特性の良い０．９８μｍ光の励起にて一旦増幅し、その後１．４８μｍ光の励起で大パワーに増幅する制御を行っている。
【０００８】
従来の光増幅制御として、ＬＤの出力パワーの目標値を所定率だけ減少させてＬＤの寿命を延ばす技術が提案されている（例えば、特許文献１）。
【特許文献１】特開平１１−２７４６２８号公報（段落番号〔００１２〕〜〔００１６〕，第１図）
【発明の開示】
【発明が解決しようとする課題】
【０００９】
一般に０．９８μｍのＬＤなどの短波長ＬＤでは、従来から光出力が急に劣化して数時間程度で故障に至る「頓死（sudden death）」現象の問題を持っている。これは偶発故障の一種であり、前触れなく急に発生する。
【００１０】
頓死は、ＣＯＤ（Catastrophic Optical Damage）と呼ばれるＬＤ活性層内の結晶溶融が原因となって発生するもので、ＬＤ材料（ＡｌＧａＡｓ（アルミニウムガリウム砒素））中の成分（例えば、Ａｌ）が酸化してバンドギャップ幅が狭くなり、自ら発出した０．９８μｍ帯の励起光を吸収することが引き金となっている。
【００１１】
自励起光を吸収すると結晶内で局所的に温度が上昇し、これによりさらにバンドギャップ幅が狭くなって吸収の度合いが上がり、最終的に結晶溶融に至って、ＬＤ発光領域が損傷するものであり、パワーが大きいほど発生しやすく、結晶溶融に至るまでの時間もパワーの約自乗に比例して短くなる。なお、１．４８μｍのＬＤは、酸化しやすい材料を含まないため、一般的に頓死が起こる可能性はゼロに近い。
【００１２】
図１６は頓死を起こしたＬＤの出力変化を示す図である。横軸は時間、縦軸は０．９８μｍのＬＤ出力パワーである。頓死が発生したと思われる光増幅装置５０を局舎から回収して、ＬＤ５１ｂ（以下、０．９８μｍＬＤ５１ｂ）の出力変化を測定した様子を示している。なお、０．９８μｍＬＤ５１ｂの出力が低下して、出力レベルが０．５になると装置からアラームが発出する。このアラーム発出時間は、光増幅装置５０のログに記録されており、図ではアラームが発出した時点を時間０としている。
【００１３】
時間０からプラス方向の実線は、局舎から回収した０．９８μｍＬＤ５１ｂの出力パワーを測定した実測値を示している。０．９８μｍＬＤ５１ｂの出力が低下し、アラーム発生から１３時間ほど経過して、０．９８μｍＬＤ５１ｂの出力レベルが０．２２となったところで、光増幅装置５０の主信号が断に至る。
【００１４】
すなわち、０．９８μｍＬＤ５１ｂが頓死し始めて前段ＥＤＦ５１ａの出力が低下すると、ＥＤＦ出力レベルを一定にするためのＡＬＣ（Auto Level Control）機能によって、後段ＥＤＦＡ５２は、前段ＥＤＦＡ５１で低下したレベル分も補足しようとして利得を上げるが、それ以上０．９８μｍＬＤの出力低下が進むと、１．４８μｍＬＤの制御にも上限があるために増幅しきれなくなり、結局、アラーム発生から１３時間ほどで主信号の出力が断してしまうことになる。
【００１５】
また、時間０からマイナス方向の点線は、アラーム発生時点から遡って頓死が発生するまでの０．９８μｍＬＤ５１ｂの出力低下の推定値であり、アラーム発生から４時間程前に頓死が発生したと推定している。
【００１６】
したがって、この例の場合では、頓死発生から１７時間程度で主信号断に至ると推定される。また、アラーム発生時から１３時間以内に保守要員が０．９８μｍＬＤ５１ｂの部品交換をするなどの修理作業を行う必要がある。なお、ＷＤＭの波長多重数が多いほど、後段ＥＤＦＡ５２の利得上昇も限界値に早く達してしまうので、主信号断に至るまでの時間は、より早く短くなる。
【００１７】
一方、光増幅装置５０では、０．９８μｍＬＤ５１ｂの出力レベルを一定にするＡＰＣ（Auto Power Control）制御を行っており、０．９８μｍＬＤ素子の経年劣化や寿命などによって出力パワーが低下した場合には、０．９８μｍＬＤ５１ｂに流す駆動電流ｃ１を増加させて出力を保つようにしている。
【００１８】
しかし、頓死が起きた０．９８μｍＬＤ５１ｂに対して、駆動電流ｃ１を増加させて供給すると、頓死による劣化を余計に加速させることになり、保守要員が部品交換などする前に、すべてのＷＤＭチャネルの信号が断に至る可能性があった。
【００１９】
このように、従来の０．９８μｍＬＤ５１ｂの頓死発生対策では、アラーム発生から数時間〜十数時間といった非常に短い時間以内に部品交換をしなければならず、また、０．９８μｍＬＤ５１ｂの出力低下に対して、経年劣化や寿命による出力低下なのか、または偶発故障による出力低下なのかを何ら判別せずに、同じ出力一定制御を行っているために、頓死劣化を加速させて信号断に至るまでの時間を短縮させてしまうといった問題があった。
【００２０】
本発明はこのような点に鑑みてなされたものであり、偶発故障を生じたＬＤの頓死劣化の進行を抑圧し、急速に信号断となることを防止する光増幅装置を提供することを目的とする。
【課題を解決するための手段】
【００２１】
本発明では上記課題を解決するために、図１に示すような、光信号の増幅を行う光増幅装置１において、光増幅用の活性物質を添加した増幅媒体１１ａと、励起光を発出する励起光源１１ｂと、を備え、励起光を増幅媒体１１ａに入射して光増幅を行う光増幅部１１と、励起光をモニタし、励起光源１１ｂを駆動するための駆動電流を供給する制御部１３と、を有し、制御部１３は、励起光の出力レベルが低下する割合であるレベル変動率をモニタし、レベル変動率がしきい値より大きい場合は、駆動電流を低減して励起光の出力レベルを低下させることを特徴とする光増幅装置１が提供される。
【００２２】
ここで、光増幅部１１は、光増幅用の活性物質を添加した増幅媒体１１ａと、励起光を発出する励起光源１１ｂとから構成され、励起光を増幅媒体１１ａに入射して光増幅を行う。制御部１３は、励起光をモニタし、励起光源１１ｂを駆動するための駆動電流を供給する。また、制御部１３は、励起光の出力レベルが低下する割合であるレベル変動率をモニタし、レベル変動率がしきい値より大きい場合は、駆動電流を低減して励起光の出力レベルを低下させる。
【発明の効果】
【００２３】
本発明の光増幅装置は、励起光の出力レベルが低下する割合であるレベル変動率をモニタし、レベル変動率が大きい場合は、駆動電流を低減して励起光の出力レベルを低下させる構成とした。これにより、偶発故障が生じた励起光源の劣化の進行を抑圧して、急速に信号断となることを防止することが可能になる。
【発明を実施するための最良の形態】
【００２４】
以下、本発明の実施の形態を図面を参照して説明する。図１は光増幅装置の原理図である。光増幅装置１は、光増幅部１１と制御部１３から構成され、光信号の増幅を行う装置である。
【００２５】
光増幅部１１は、光増幅用の活性物質をドープした増幅媒体１１ａと、励起光を発出する励起光源１１ｂとから構成され、励起光を増幅媒体１１ａに入射して光増幅を行う。具体的には、増幅媒体１１ａはＥＤＦであり、励起光源１１ｂは、短波長の０．９８μｍ励起光を発出するＬＤである。
【００２６】
制御部１３は、励起光をモニタし、励起光源１１ｂを駆動するための駆動電流を供給する。このとき、励起光の出力レベルが低下する割合であるレベル変動率をモニタし、レベル変動率がしきい値より大きい場合は、励起光源１１ｂに偶発故障が生じていると判断し、偶発故障による励起光源１１ｂの劣化の進行が遅れるように、駆動電流を低減して励起光の出力レベルを低下させる。
【００２７】
次に光増幅装置１を適用した具体的な装置構成について説明する。図２は光増幅装置の構成を示す図である。光増幅装置１０は、前段ＥＤＦＡ１１（第１の光増幅部）、後段ＥＤＦＡ１２（第２の光増幅部）、制御部１３（第１の制御部）、駆動電流制御部１４（第２の制御部）、メモリ１５から構成され、前段ＥＤＦＡ１１は、前段ＥＤＦ１１ａ（第１の増幅媒体）と０．９８μｍＬＤ１１ｂ（第１の励起光源）を含み、後段ＥＤＦＡ１２は、後段ＥＤＦ１２ａ（第２の増幅媒体）と１．４８μｍＬＤ１２ｂ（第２の励起光源）を含む。
【００２８】
０．９８μｍＬＤ１１ｂは、制御部１３から送信されたＬＤ駆動電流を受けて、０．９８μｍの励起光を前段ＥＤＦ１１ａへ入射し、前段ＥＤＦ１１ａは、光ファイバから流れてきたＷＤＭ信号を増幅して出力する。１．４８μｍＬＤ１２ｂは、駆動電流制御部１４から送信されたＬＤ駆動電流を受けて、１．４８μｍの励起光を後段ＥＤＦ１２ａへ入射し、後段ＥＤＦ１２ａは、前段ＥＤＦ１１ａから出力されたＷＤＭ信号を再度増幅して光ファイバ上へ送出する。
【００２９】
メモリ１５は、例えば、ＷＤＭの波長多重数に応じた０．９８μｍＬＤ１１ｂや１．４８μｍＬＤ１２ｂの初期駆動電流値や、偶発故障発生判断のためのしきい値などを格納しており、これらの値は外部から設定可能である。
【００３０】
なお、図に示されるように、制御部１３は、対向局（図示せず）から送信される監視制御信号であるＯＳＣ（Optical Supervisory Channel）信号を受信する。これは、偶発故障の発生による０．９８μｍＬＤ駆動電流の低減制御時に、後段ＥＤＦＡ１２から出力された光信号を受信する対向局での受信品質状態を、ＯＳＣ信号により認識し、受信品質状態がエラー許容値を超えないように、０．９８μｍＬＤ１１ｂの低減制御を行うものである（図９〜図１１で後述）。
【００３１】
次に制御部１３と駆動電流制御部１４の動作について説明する。なお、出力一定制御として、ＬＤ出力レベルを一定にする制御をＡＰＣ制御、ＥＤＦ出力レベルを一定にする制御をＡＬＣ制御と呼ぶ。
【００３２】
制御部１３は、０．９８μｍＬＤ１１ｂのバック光を受光して、受光レベルにもとづいて０．９８μｍＬＤ１１ｂのレベル変動率（ある時間幅における出力低下の傾きの度合い）をモニタする。
【００３３】
分単位、時間単位といった短い時間で出力低下が顕著に現れると、レベル変動率が大きくなり、０．９８μｍＬＤ１１ｂに偶発故障が生じている可能性が高くなる。したがって、レベル変動率があらかじめ設定したしきい値より大きい場合には、０．９８μｍＬＤ１１ｂに偶発故障が生じていると判断し、偶発故障による０．９８μｍＬＤ１１ｂの劣化の進行が遅れるように、駆動電流を低減して０．９８μｍ励起光の出力レベルを低下させる。
【００３４】
なお、出力レベルの低下制御を行う場合は、例えば、０．９８μｍＬＤ１１ｂの初期パワーが１３０ｍＷだとすると、４０〜５０ｍＷ（＝３０〜４０％程度）まで出力レベルを下げるのが妥当である。これより大きいパワーでは頓死劣化の加速を緩和する効果が薄れてしまい、小さすぎる（３０ｍＷ程度以下）と極端に伝送品質が劣化してしまう。このようにして、３０〜４０％程度まで出力レベルを下げたら、この出力レベルをできるだけ維持するようにＡＰＣ制御を行う。
【００３５】
また、経年劣化などによる励起光の出力低下では、月単位または年単位といった長いスパンで徐々に出力が低下するので、レベル変動率は小さいものとなる。したがって、レベル変動率がしきい値より小さく、偶発故障の可能がないと認識した場合には、経年劣化や寿命によって生じた出力低下が生じていると判断して、前段ＥＤＦ１１ａの出力レベルが一定となるように、駆動電流を増加して０．９８μｍ励起光の出力レベルを増加させるＡＰＣ制御を行う。
【００３６】
ただし、レベル変動率がしきい値より小さい場合でも、経年劣化でなく偶発故障による出力低下が生じている可能性もある。したがって、レベル変動率がしきい値を超えずに低下し続ける場合には、経年劣化による出力低下なのか、偶発故障による出力低下なのかを調べてから駆動電流の増減を行う必要がある。この判断制御については図１４で後述する。
【００３７】
一方、駆動電流制御部１４は、後段ＥＤＦ１２ａの出力をモニタし、後段ＥＤＦ１２ａの出力低下を認識した場合は、駆動電流を増加して１．４８μｍ励起光の出力レベルを増加させて、ＡＬＣ制御を行う（実際は、１．４８μｍＬＤ１２ｂに対するＡＰＣ制御も行われる）。
【００３８】
図では０．９８μｍＬＤ１１ｂに偶発故障が生じている場合を示している。制御部１３は、レベル変動率がしきい値より大きいことを認識すると、駆動電流を低減して０．９８μｍＬＤ１１ｂの出力レベルを低下させる。
【００３９】
すると、後段ＥＤＦＡ１２への入力レベルが小さくなるので、後段ＥＤＦ１２ａの出力レベルが低下する。駆動電流制御部１４は、後段ＥＤＦ１２ａの出力レベル低下を認識すると、駆動電流を増加して１．４８μｍ励起光の出力レベルを増加させてＡＬＣ制御を行う。
【００４０】
次に０．９８μｍＬＤの出力変化について説明する。図３は０．９８μｍＬＤの出力変化を示す図である。横軸は時間、縦軸はＬＤ出力パワーである。点線Ｋ１は、図１６に示した曲線と同じものであり、実線Ｋ２は、０．９８μｍＬＤに偶発故障が発生して出力低下制御を行った際の０．９８μｍＬＤの出力レベル値を示している。
【００４１】
図において、時間（−４）で頓死が発生し、その後時間ｔ（例えば、数分）の間に０．９８μｍＬＤの出力が大きく低下しており、制御部１３は、わずかな時間でレベル変動率が大きいことを認識して、実際の偶発故障発生から時間ｔ経過後に偶発故障状態を検出する。すると、制御部１３は、０．９８μｍＬＤ用の駆動電流を低減して、０．９８μｍ励起光の出力レベルを低下させる。
【００４２】
０．９８μｍＬＤの出力が０．２２まで低下すると、光増幅装置１０の主信号断が発生する。この場合、点線Ｋ１が示すように、偶発故障が発生しても、発生前と同じ駆動電流を供給する従来の制御では、偶発故障発生から約１７時間といった短い時間で主信号断が生じている。
【００４３】
一方、実線Ｋ２が示すように、偶発故障検出から駆動電流を低減させて、０．９８μｍＬＤの出力レベルを低下させた場合では、出力レベルの下降が緩やかになる。この場合、偶発故障検出（アラーム発生）から主信号断が生じる０．２２のレベルに到達するまで約１００〜２００時間かかり、主信号断となる状態を遅らせることができる。
【００４４】
図４は０．９８μｍＬＤパワーと１．４８μｍＬＤパワーとの遷移を示す図である。横軸は時間であり、グラフＧ１の縦軸は０．９８μｍＬＤ出力パワーであり、グラフＧ２の縦軸は１．４８μｍＬＤ出力パワーである。通常運用時の０．９８μｍＬＤの出力パワー及び１．４８μｍＬＤの出力パワーを１．０とする。
【００４５】
グラフＧ１において、時間Ｔ０で偶発故障が発生し、時間Ｔ１で偶発故障を検出して０．９８μｍＬＤに対する出力低下制御を行い、０．９８μｍＬＤの出力パワーは０．３まで低下している。
【００４６】
グラフＧ２において、時間Ｔ１で０．９８μｍＬＤに対する出力低下制御が行われるので、この出力低下を補足するために、１．４８μｍＬＤの出力パワーはｎまで増加している。
【００４７】
以上説明したように、従来では、偶発故障による頓死が生じると急速に主信号断に向かってしまい、サービスが突然停止してしまうおそれがあったが、光増幅装置１０では、偶発故障が生じた場合には、主信号断に至るまでの時間を遅らせるフェールソフト（fail soft）制御を行うので、ある程度品質が劣化したとしてもサービスを継続させることができる。
【００４８】
また、これにより偶発故障のアラーム発生から主信号断に達するまで、数日間の余裕が生まれるので、夜間や休日などに偶発故障が発生したとしても、部品交換などの保守整備を行って正常な運用状態に戻すまで、十分な保守時間を確保することが可能になる。
【００４９】
次にレベル変動率のモニタ処理について説明する。０．９８μｍＬＤの初期パワーが１３０ｍＷでの実測結果では、偶発故障が発生して、初期パワーから５０％（６５ｍＷ）低下するまで、約４時間程度と推測される。直線近似で計算すると１時間で１６ｍＷ、１分間で０．２７ｍＷ、１秒間で０．００４４ｍＷの出力低下に相当する。
【００５０】
このように、偶発故障発生後に５０％までレベル低下する低下率は、０．２７ｍＷ／分である。通常、モニタはアナログ値をＡＤコンバータによって２進数データに変換して行っているが、１２ビットＡＤのフルレンジが１３０ｍＷに相当すると仮定した場合（２12＝４０９５＝１３０ｍＷ）、０．２７ｍＷは約８に相当する（４０９５：１３０＝ｘ：０．２７の比例式からｘ≒８）。すなわち、１２ビットのＡＤコンバータでは、１３０ｍＷを４０９５等分して表現し、０．２７ｍＷは、４０９５等分したうちの８個目に相当するということである。
【００５１】
８は、１２ビット中２進数で000000001000となるが、下位の１〜４ビットまではノイズの影響や読み取り誤差の影響を受けやすく、正確な判定を行うのには使用することはできない（同じ値であっても、読み取る度に下位の１〜４ビットは０、１表示が変動するので判定指標には使えない）。
【００５２】
そこで、２分間隔で０．５４ｍＷの変化検出を行うことにすると、約１７に相当し（４０９５：１３０＝ｙ：０．５４の比例式からｙ≒１７）、１７は、１２ビット中２進数で000000010001となり下位５ビットで判断できるので、ノイズ等の影響を受けづらくなる。
【００５３】
したがって、０．９８μｍＬＤの初期出力パワーが１３０ｍＷのときは、偶発故障が生じているか否かの判断指標とするしきい値は、０．５４ｍＷと設定し、現在の出力レベルモニタ値と２分前の出力レベルモニタ値との差（レベル変動率）が、０．５４ｍＷ以上であるならば０．９８μｍＬＤに偶発故障が発生していると判断する（すなわち、２分間の間に０．５４ｍＷのレベル低下があるか否かを見ている）。
【００５４】
なお、上記のように偶発故障かどうかの判断は分単位で行うとしても、０．９８μｍＬＤ出力のモニタ値の取得は、例えば、１００ｍｓｅｃなどの短い周期で取得してよい。
次に制御部１３の内部構成について説明する。図５は制御部１３の内部構成を示す図である。制御部１３は、ＡＤコンバータ１３ａ、タイマ１３ｂ、レジスタ１３ｃ、判断回路１３ｄ、ＤＡコンバータ１３ｅ、駆動電流印加回路１３ｆ、受信状態監視回路１３ｇから構成される。
【００５５】
ＡＤコンバータ１３ａは、０．９８μｍＬＤ１１ｂのバック光を受光して０．９８μｍＬＤ１１ｂの出力をモニタしてモニタ値をディジタル信号に変換する。タイマ１３ｂは、モニタ値読み出し時間を設定する（例えば、１００ｍｓｅｃ間隔）。レジスタ１３ｃは、ディジタル化されたモニタ値を一時保存し、モニタ値読み出し時間になったらモニタ値を出力する。
【００５６】
判断回路１３ｄは、ＡＤコンバータ１３ａから出力された現在モニタ値と、レジスタ１３ｃから出力された過去モニタ値とを受信してレベル変動率を算出し、メモリ１５に格納されているしきい値を読み込んで、レベル変動率としきい値とを比較して、０．９８μｍＬＤ１１ｂに偶発故障が生じているか否かを判断する。しきい値＜レベル変動率ならば、偶発故障発生とみなして、０．９８μｍＬＤ１１ｂの出力低下データをＤＡコンバータ１３ｅへ出力する。
【００５７】
ＤＡコンバータ１３ｅは、出力低下データを受信するとアナログ信号に変換し、駆動電流印加回路１３ｆは、アナログ出力低下データにもとづき０．９８μｍＬＤ１１ｂの駆動電流を低下させる。受信状態監視回路１３ｇは、対向局から送信されるＯＳＣ信号によって、対向局側の光信号受信状態を認識し、対向局側でエラー許容値を超えないように、０．９８μｍＬＤ１１ｂに対して、駆動電流増減のための制御指示を与える。
【００５８】
図６は０．９８μｍＬＤ１１ｂの偶発故障発生から保守整備までの動作を含むフローチャートを示す図である。
〔Ｓ１〕制御部１３は、０．９８μｍＬＤ１１ｂの出力モニタ値を取得し、レベル変動率を算出する。
【００５９】
〔Ｓ２〕制御部１３は、しきい値とレベル変動率を比較し、レベル変動率がしきい値よりも大きい場合は、偶発故障が発生していると判断してステップＳ３へいき、レベル変動率がしきい値よりも小さい場合は、偶発故障が発生していないと判断してステップＳ６へいく。
【００６０】
〔Ｓ３〕制御部１３は、アラームを発生し、かつ０．９８μｍＬＤ１１ｂへ供給する駆動電流を低減する。
〔Ｓ４〕制御部１３は、０．９８μｍＬＤ１１ｂの駆動電流を低減した値で出力一定制御を行う（ＡＰＣ制御）。
【００６１】
〔Ｓ５〕保守要員によって、主信号が断する前に部品交換が行われる。
〔Ｓ６〕制御部１３は、０．９８μｍＬＤ１１ｂの現在のモニタ値が目標ＬＤ出力値に達しているか否かを判断する。達していればステップＳ１へ戻り、達していなければステップＳ７へいく。
【００６２】
〔Ｓ７〕制御部１３は、０．９８μｍＬＤ１１ｂへ供給する駆動電流を増加する。
〔Ｓ８〕制御部１３は、０．９８μｍＬＤ１１ｂの出力値が目標ＬＤ出力値となるように出力一定制御を行い（ＡＰＣ制御）、ステップＳ１へ戻る。
【００６３】
なお、ステップＳ６〜Ｓ８の動作では、偶発故障の発生と無関係な、０．９８μｍＬＤ１１ｂの出力レベル低下を検出した場合は、０．９８μｍＬＤ１１ｂの駆動電流を増加して、０．９８μｍＬＤ１１ｂの出力レベル一定制御を行うことを意味している。
【００６４】
図７は光増幅装置１０全体の動作制御のフローチャートを示す図である。
〔Ｓ１１〕制御部１３は、メモリ１５からＷＤＭの波長多重数に応じた０．９８μｍＬＤ１１ｂの駆動電流値を読み出して、０．９８μｍＬＤの発光制御を行う。
【００６５】
〔Ｓ１２〕駆動電流制御部１４は、メモリ１５からＷＤＭの波長多重数に応じた１．４８μｍＬＤ１２ｂの駆動電流値を読み出して、１．４８μｍＬＤ１２ｂの発光制御を行う。
【００６６】
〔Ｓ１３〕制御部１３は、０．９８μｍＬＤ１１ｂの出力レベルをモニタする。
〔Ｓ１４〕制御部１３は、０．９８μｍＬＤ１１ｂの出力モニタ値からレベル変動率を算出し、レベル変動率がしきい値より大きいか否かを判断し、大きい場合はステップＳ１５へいき、小さい場合はステップＳ１６へいく。
【００６７】
〔Ｓ１５〕制御部１３は、アラームを発出し、０．９８μｍＬＤ１１ｂの駆動電流を低減させる。例えば、０．９８μｍＬＤ１１ｂの初期出力が１３０ｍＷならば３０％まで低減して４０ｍＷ出力とする。
【００６８】
〔Ｓ１６〕制御部１３は、０．９８μｍＬＤ１１ｂの出力モニタ値が目標ＬＤ出力値に達しているか否かを判断し、達していればステップＳ１３へ戻り、達していなければステップＳ１７へいく。
【００６９】
〔Ｓ１７〕制御部１３は、０．９８μｍＬＤ１１ｂの駆動電流を増加させる。
〔Ｓ１８〕制御部１３は、０．９８μｍＬＤ１１ｂの出力一定制御（ＡＰＣ制御）を行う。
【００７０】
〔Ｓ１９〕駆動電流制御部１４は、後段ＥＤＦ１２ａの出力レベルをモニタする。
〔Ｓ２０〕駆動電流制御部１４は、後段ＥＤＦ１２ａの出力レベルが目標の装置出力レベルとなるように（偶発故障が起きている場合には、前段ＥＤＦＡ１１の出力パワーの不足分を補うように）、１．４８μｍＬＤ１２ｂに供給する駆動電流を制御して、光増幅装置１０の出力一定制御（ＡＬＣ制御）を行う。
【００７１】
〔Ｓ２１〕０．９８μｍＬＤ１１ｂに対する偶発故障モードの場合は、ステップＳ１８へ戻る。また、偶発故障モードでない場合は、ステップＳ１３へ戻る。
なお、これまでの説明では０．９８μｍＬＤ出力が波長多重数によらず一定である場合を例にしたが、実際はＷＤＭの波長多重数も考慮して０．９８μｍＬＤ１１ｂの出力パワーを可変制御することになる。
【００７２】
次にＷＤＭの運用監視制御を行うために使用されるＯＳＣ信号を用いての０．９８μｍＬＤ出力制御について説明する。図８は０．９８μｍＬＤ出力と光増幅装置１０のＮＦとの関係を示す図である。横軸は０．９８μｍＬＤ出力（ｍＷ）で、縦軸は光増幅装置１０のＮＦ（ｄＢ）である。図に示すように、光増幅装置１０のＮＦは、０．９８μｍＬＤ１１ｂの出力パワーが５０ｍＷ以下（初期の４０％以下）になると急激に低下することがわかる。
【００７３】
このため、伝送路長や伝送路損失などの条件によっては許容できないレベルまでエラー特性が劣化する可能性がある（例えば、エラーレートが１０-3〜１０-5程度になる）。
仮に０．９８μｍＬＤ出力を４０ｍＷ（初期の３０％）程度まで下げた場合、１．４８μｍＬＤ１２ｂが出力パワーを上げて後段ＥＤＦ１２ａの利得を上げ、光増幅装置１０の出力が一定になるように制御するが、光増幅装置１０に対向する受信局ではＯＳＮＲの劣化により、主信号断には至らないまでも許容できない状態までエラーレートが劣化してしまう可能性がある。
【００７４】
したがって、エラーレートが許容値を割り込むことがないように、ＯＳＣ信号を用いて対向局から０．９８μｍＬＤ１１ｂが故障中の局に対して、エラーレートが許容値を割り込んだことを通知し、エラー特性が許容できる範囲になるまで０．９８μｍＬＤ１１ｂの出力パワーを上げるような制御を実行する。
【００７５】
図９〜図１１はＯＳＣ信号を用いて０．９８μｍＬＤ１１ｂの出力制御を行う様子を示す図である。局１０１〜局１０３は下り方向の光ファイバ伝送路Ｆ１と、上り方向の光ファイバ伝送路Ｆ２とで互いに接続する。また、１つの局は、上り方向伝送用と下り方向伝送用の光伝送装置を有している。
【００７６】
局１０１は、下り光伝送装置１０１ａと上り光伝送装置１０１ｂを含み、局１０２は、下り光伝送装置１０２ａと上り光伝送装置１０２ｂを含み、局１０３は、下り光伝送装置１０３ａと上り光伝送装置１０３ｂを含む。上り光伝送装置及び下り光伝送装置は光増幅装置１０に該当する。
【００７７】
図９は正常動作時の様子を示している。局１０２の光伝送装置１０２ａ内の０．９８μｍＬＤは正常動作する。局１０３でのＯＳＮＲは２５ｄＢ以上あり、良好状態である。
図１０は偶発故障が生じた様子を示している。局１０２の光伝送装置１０２ａ内の０．９８μｍＬＤに偶発故障が生じ、出力低下制御により０．９８μｍＬＤの出力が初期の３０％出力となり、１．４８μｍＬＤの利得はパワー不足分上昇して出力一定制御を行う。一方、下流に位置する局１０３では、０．９８μｍＬＤが３０％出力だと、ＯＳＮＲが１５ｄＢ以下となり、受信エラー耐力の許容値以下となる。
【００７８】
図１１はＯＳＣ信号によりエラー通知を行っている様子を示す図である。局１０３は、ＯＳＣ信号にエラー情報を重畳し、上り回線Ｆ２からＯＳＣ信号を流して、上流の局１０２へエラー状態を通知する。局１０２内の光伝送装置１０２ｂは、ＯＳＣ信号からエラー情報を取り出して、局１０３における受信状態を認識し、０．９８μｍＬＤの出力が４０〜５０％程度になるように出力を増加させる。
【００７９】
このように、ＯＳＣ信号を用いて下流局の受信状態を監視しながら、偶発故障が生じた０．９８μｍＬＤの出力パワーの低減度合いの調整を行うことで、受信局において極端な伝送品質劣化が生じることを防ぐことが可能になる。
【００８０】
なお、上記のように０．９８μｍＬＤの出力を上げればＯＳＮＲは改善するが、上げ過ぎると当然、０．９８μｍＬＤの頓死劣化を加速し、かつ主信号断を加速することになってしまうため、５０〜６５ｍＷ（初期パワーの４０〜５０％）程度を上限にして制御を行うのがよい。
【００８１】
次に０．９８μｍＬＤ１１ｂの偶発故障の判断方法について説明する。光増幅装置１０はＷＤＭ波長多重数に応じて増幅出力を可変させるので、偶発故障かどうかの判断をする基準もパワーに応じて変える必要がある。
【００８２】
図１２、図１３は偶発故障の判断方法を示す図である。横軸は時間であり、縦軸は０．９８μｍＬＤ出力パワーである。実線Ｋ３は、波長多重数が多い場合に、初期出力パワー（１３０ｍＷ）で０．９８μｍＬＤ１１ｂの運用中に、偶発故障が生じて出力レベルが低下する様子を示しており、破線Ｋ４は、波長多重数が少ない場合に、初期出力パワー（６５ｍＷ）で０．９８μｍＬＤ１１ｂの運用中に、偶発故障が生じて出力レベルが低下する様子を示している。
【００８３】
このように、波長多重数が多いほど出力パワーの低下度合いも異なるので、偶発故障が起きたか否かの判断についても、初期のＬＤ出力パワーに応じて、しきい値を変える必要がある。
【００８４】
実線Ｋ３において、１３０ｍＷの元々高い出力パワーで０．９８μｍＬＤ１１ｂが動作している場合には、偶発故障時のパワーの傾きも急激に下がる。この場合は、上述したように、１３０ｍＷでの動作時に２分間で０．５４ｍＷ以上の低下量を偶発故障の判断しきい値にする。
【００８５】
これに対し、破線Ｋ４のように、例えば、半分の６５ｍＷの低い出力パワーで０．９８μｍＬＤ１１ｂが動作していた場合には、図１２に示すように、２分間で１／４倍の０．１３５ｍＷ以上の低下量を判断しきい値とするか、または図１３に示すように、０．５４ｍＷの変化を４倍の８分間で判断するかのいずれかの方法をとることになる（４倍、１／４倍という値は、上述したように偶発故障劣化の加速がパワー比の約自乗に比例する関係から導かれる）。
【００８６】
したがって、上記の内容を一般化して書くと、０．９８μｍＬＤ１１ｂが初期出力パワーＰ（＝１３０ｍＷ）の運用時に、一定時間ｍ（＝２分間）で励起光の電力量がΔｐ（＝０．５３ｍＷ）低下すると偶発故障の発生とみなすとする。
【００８７】
この場合に、０．９８μｍＬＤ１１ｂを初期出力パワーＰより１／ｎ（ｎは整数）低い出力パワーＰ／ｎ（＝１３５／２＝６５ｍＷ）で運用した際には、しきい値をΔｐ／ｎ2と設定し、レベル変動率が一定時間ｍの間にΔｐ／ｎ2より大きい場合には、０．９８μｍＬＤ１１ｂに偶発故障が生じていると判断する。
【００８８】
すなわち、上記の例ではｎ＝２であるから、しきい値Δｐ／ｎ2を０．１３５（＝０．５３／２2）ｍＷと設定し、レベル変動率が一定時間ｍ（＝２分）の間に０．１３５ｍＷより大きい場合には、偶発故障が生じていると判断する。
【００８９】
また、しきい値をΔｐと設定し、レベル変動率が一定時間（ｍ×ｎ2）の間にΔｐより大きい場合には、０．９８μｍＬＤ１１ｂに偶発故障が生じていると判断する。
すなわち、上記の例ではｎ＝２であるから、しきい値Δｐを０．５３ｍＷと設定し、レベル変動率が一定時間８（＝２×２2）分の間に０．５３ｍＷより大きい場合には、０．９８μｍＬＤ１１ｂに偶発故障が生じていると判断する。
【００９０】
次に０．９８μｍＬＤ１１ｂの出力パワーを一時的に上げて偶発故障が起きていることを判断する制御について説明する。波長多重数が少なく、０．９８μｍＬＤ１１ｂの出力パワーが低い状態での運用が続いている場合、０．９８μｍＬＤ１１ｂに偶発故障が生じていても、しきい値を超えずに出力パワーが低下し続ける場合がある。
【００９１】
この場合、出力パワー低下の時間変動が非常に小さく、出力パワーが低下していること自体を認識することができても、偶発故障によるパワー低下なのか、経年劣化等によるパワー低下であるのか判断し難くなる。
【００９２】
したがって、０．９８μｍＬＤ１１ｂが低いパワーで運用されているときに、レベル変動率がしきい値を超えない程度に緩やかで小さなパワー低下を検出した場合は、０．９８μｍＬＤ１１ｂの出力を例えば、１００ｍＷ以上に一旦上げて１０〜３０分程度運用させ、そのときのパワーにおける変化を観測して、偶発故障が生じているか否かを判断する。すなわち、一時的に０．９８μｍＬＤ１１ｂの出力パワーを増加させて、偶発故障劣化をあえて加速させて、そのときのレベル変動率の大きさを観測して、偶発故障が起きているか否かを調べる。
【００９３】
なお、０．９８μｍＬＤ１１ｂの出力パワーを一旦上昇させた場合でも、後段の１．４８μｍＬＤ１２ｂが制御されて、光増幅装置１０の出力が一定に保つように制御されるので、伝送品質などへの悪影響は出ない。
【００９４】
また、偶発故障劣化が急激に加速しないように、０．９８μｍＬＤ１１ｂの出力を上げる時間は１０〜２０分程度以内とし、その間の観測にて偶発故障ではないと判断した場合には、元の出力に下げて運用を継続し、偶発故障であると判断した場合には元の出力に下げた後でアラームを発出させ、交換が必要であることを通知する。
【００９５】
図１４は０．９８μｍＬＤの出力パワーを一時的に上げて偶発故障を判断する図である。横軸は時間であり、縦軸は０．９８μｍＬＤ出力パワーである。
〔Ｓ３１〕０．９８μｍＬＤ１１ｂに対して、偶発故障による頓死が発生する。
【００９６】
〔Ｓ３２〕モニタ結果から緩やかな出力低下が見られる。
〔Ｓ３３〕制御部１３は、ステップＳ３２の出力低下が偶発故障によるものなのか、経年劣化等によるものなのかを判断するために、駆動電流を上げて０．９８μｍＬＤ１１ｂの出力パワーを一時的に上げる。
【００９７】
〔Ｓ３４〕偶発故障が起きていれば、顕著なレベル変動率が現れる。制御部１３は、レベル変動率が大きいことを判断して０．９８μｍＬＤ１１ｂに偶発故障が生じていることを認識する。
【００９８】
〔Ｓ３５〕制御部１３は、０．９８μｍＬＤ１１ｂへ供給する駆動電流を低減して出力パワーを低下させ、アラームを発出する。
〔Ｓ３６〕アラーム発出後、主信号断になる前に部品交換が行われる。
【００９９】
なお、しきい値を超えないレベル変動率の低下を検出した際に、０．９８μｍＬＤ駆動電流を一定時間上昇させて、レベル変動率をモニタしても偶発故障でないことを認識した場合は（偶発故障の発生と無関係な０．９８μｍＬＤ１１ｂの出力レベル低下を検出した場合は）、通常の経年劣化による出力低下とみなせるので、駆動電流を増加して０．９８μｍＬＤ１１ｂの出力一定制御を行うことになる。
【０１００】
以上説明したように、本発明によれば、０．９８μｍＬＤ１１ｂの偶発故障による頓死が起きた場合でも、伝送品質を極端に悪化させることなくサービスを継続させて、主信号断までの時間を引き延ばすことが可能になり、保守交換までの時間を稼ぐことが可能になる。
【０１０１】
（付記１）  光信号の増幅を行う光増幅装置において、
光増幅用の活性物質を添加した増幅媒体と、励起光を発出する励起光源と、を備え、前記励起光を前記増幅媒体に入射して光増幅を行う光増幅部と、
前記励起光をモニタし、前記励起光源を駆動するための駆動電流を供給する制御部と、
を有し、
前記制御部は、前記励起光の出力レベルが低下する割合であるレベル変動率をモニタし、
前記レベル変動率がしきい値より大きい場合は、前記駆動電流を低減して前記励起光の出力レベルを低下させる、
ことを特徴とする光増幅装置。
【０１０２】
（付記２）  前記制御部は、前記レベル変動率がしきい値より大きい場合は、前記励起光源に偶発故障が発生していると判断し、前記偶発故障による前記励起光源の劣化の進行が遅れるように、前記駆動電流を低減して前記励起光の出力レベルを低下させることを特徴とする付記１記載の光増幅装置。
【０１０３】
（付記３）  前記制御部は、０．９８μｍの前記励起光を発出する前記励起光源の駆動制御を行うことを特徴とする付記１記載の光増幅装置。
（付記４）  前記励起光源が初期出力パワーＰの運用時に、一定時間ｍで前記励起光の電力量がΔｐ低下すると前記偶発故障の発生とみなせる場合に、前記励起光源を前記初期出力パワーＰより１／ｎ（ｎは整数）低い出力パワーＰ／ｎで運用した際には、前記制御部は、前記しきい値をΔｐ／ｎ2と設定し、前記レベル変動率が一定時間ｍの間にΔｐ／ｎ2より大きい場合には、前記励起光源に前記偶発故障が生じていると判断し、または前記しきい値をΔｐと設定し、前記レベル変動率が一定時間（ｍ×ｎ2）の間にΔｐより大きい場合には、前記励起光源に前記偶発故障が生じていると判断することを特徴とする付記２記載の光増幅装置。
【０１０４】
（付記５）  前記制御部は、前記レベル変動率が前記しきい値を超えずに、前記励起光の出力レベルが低下し続ける場合は、前記偶発故障が起きているならば前記劣化が一時的に加速するように、前記駆動電流を一定時間増加供給し、前記励起光の出力レベルを増加させた後の前記レベル変動率をモニタすることで、前記偶発故障による出力レベル低下か否かを判断することを特徴とする付記２記載の光増幅装置。
【０１０５】
（付記６）  前記制御部は、前記偶発故障の発生と無関係な、前記励起光源の出力レベル低下を検出した場合は、前記駆動電流を増加して、前記励起光源の出力レベル一定制御を行うことを特徴とする付記２記載の光増幅装置。
【０１０６】
（付記７）  前記制御部は、前記偶発故障の発生による前記駆動電流の低減制御時に、前記光増幅部から出力された光信号を受信する対向局での受信品質状態を、前記対向局から送信される監視制御信号により認識し、前記受信品質状態がエラー許容値を超えないように、前記駆動電流の低減度合いの調整制御を行うことを特徴とする付記２記載の光増幅装置。
【０１０７】
（付記８）  光信号の増幅を行う光増幅装置において、
光増幅用の活性物質を添加した第１の増幅媒体と、第１の励起光を発出する第１の励起光源と、を備え、前記第１の励起光を前記第１の増幅媒体に入射して入力光信号の光増幅を行う第１の光増幅部と、
光増幅用の活性物質を添加した第２の増幅媒体と、第２の励起光を発出する第２の励起光源と、を備え、前記第２の励起光を前記第２の増幅媒体に入射して前記第１の増幅媒体から出力された光信号の増幅を行う第２の光増幅部と、
前記第１の励起光をモニタし、前記第１の励起光源を駆動するための第１の駆動電流を供給する第１の制御部と、
前記第２の増幅媒体から出力された光増幅信号をモニタし、前記光増幅信号の出力レベルが一定となるように、前記第２の励起光源を駆動するための第２の駆動電流を供給する第２の制御部と、
を有し、
前記第１の制御部は、前記第１の励起光の出力レベルが低下する割合であるレベル変動率をモニタし、
前記レベル変動率がしきい値より大きい場合は、前記第１の駆動電流を低減して前記第１の励起光の出力レベルを低下させる、
ことを特徴とする光増幅装置。
【０１０８】
（付記９）  前記第１の制御部は、前記レベル変動率がしきい値より大きい場合は、前記第１の励起光源に偶発故障が発生していると判断し、前記偶発故障による前記第１の励起光源の劣化の進行が遅れるように、前記第１の駆動電流を低減して前記第１の励起光の出力レベルを低下させることを特徴とする付記８記載の光増幅装置。
【０１０９】
（付記１０）  前記第１の制御部は、０．９８μｍの前記第１の励起光を発出する前記第１の励起光源の駆動制御を行い、前記第２の制御部は、１．４８μｍの前記第２の励起光を発出する前記第２の励起光源の駆動制御を行うことを特徴とする付記８記載の光増幅装置。
【０１１０】
（付記１１）  前記第１の励起光源が初期出力パワーＰの運用時に、一定時間ｍで前記第１の励起光の電力量がΔｐ低下すると前記偶発故障の発生とみなせる場合に、前記第１の励起光源を前記初期出力パワーＰより１／ｎ（ｎは整数）低い出力パワーＰ／ｎで運用した際には、前記第１の制御部は、前記しきい値をΔｐ／ｎ2と設定し、前記レベル変動率が一定時間ｍの間にΔｐ／ｎ2より大きい場合には、前記第１の励起光源に前記偶発故障が生じていると判断し、または前記しきい値をΔｐと設定し、前記レベル変動率が一定時間（ｍ×ｎ2）の間にΔｐより大きい場合には、前記第１の励起光源に前記偶発故障が生じていると判断することを特徴とする付記９記載の光増幅装置。
【０１１１】
（付記１２）  前記第１の制御部は、前記レベル変動率が前記しきい値を超えずに、前記第１の励起光の出力レベルが低下し続ける場合は、前記偶発故障が起きているならば前記劣化が一時的に加速するように、前記第１の駆動電流を一定時間増加供給し、前記第１の励起光の出力レベルを増加させた後の前記レベル変動率をモニタすることで、前記偶発故障による出力レベル低下か否かを判断することを特徴とする付記９記載の光増幅装置。
【０１１２】
（付記１３）  前記第１の制御部は、前記偶発故障の発生と無関係な、前記第１の励起光源の出力レベル低下を検出した場合は、前記第１の駆動電流を増加して、前記第１の励起光源の出力レベル一定制御を行うことを特徴とする付記９記載の光増幅装置。
【０１１３】
（付記１４）  前記第１の制御部は、前記偶発故障の発生による前記第１の駆動電流の低減制御時に、前記第２の光増幅部から出力された前記光増幅信号を受信する対向局での受信品質状態を、前記対向局から送信される監視制御信号により認識し、前記受信品質状態がエラー許容値を超えないように、前記第１の駆動電流の低減度合いの調整制御を行うことを特徴とする付記９記載の光増幅装置。
【図面の簡単な説明】
【０１１４】
【図１】光増幅装置の原理図である。
【図２】光増幅装置の構成を示す図である。
【図３】０．９８μｍＬＤの出力変化を示す図である。
【図４】０．９８μｍＬＤパワーと１．４８μｍＬＤパワーとの遷移を示す図である。
【図５】制御部の内部構成を示す図である。
【図６】０．９８μｍＬＤの偶発故障発生から保守整備までの動作を含むフローチャートを示す図である。
【図７】光増幅装置全体の動作制御のフローチャートを示す図である。
【図８】０．９８μｍＬＤ出力と光増幅装置のＮＦとの関係を示す図である。
【図９】ＯＳＣ信号を用いて０．９８μｍＬＤの出力制御を行う様子を示す図である。
【図１０】ＯＳＣ信号を用いて０．９８μｍＬＤの出力制御を行う様子を示す図である。
【図１１】ＯＳＣ信号を用いて０．９８μｍＬＤの出力制御を行う様子を示す図である。
【図１２】偶発故障の判断方法を示す図である。
【図１３】偶発故障の判断方法を示す図である。
【図１４】０．９８μｍＬＤの出力パワーを一時的に上げて偶発故障を判断する図である。
【図１５】光増幅装置の概略図である。
【図１６】頓死を起こしたＬＤの出力変化を示す図である。
【符号の説明】
【０１１５】
１  光増幅装置
１１  光増幅部
１１ａ  増幅媒体
１１ｂ  励起光源
１３  制御部
【図１】
2008140901.tif 000003
【図２】
2008140901.tif 000004
【図３】
2008140901.tif 000005
【図４】
2008140901.tif 000006
【図５】
2008140901.tif 000007
【図６】
2008140901.tif 000008
【図７】
2008140901.tif 000009
【図８】
2008140901.tif 000010
【図９】
2008140901.tif 000011
【図１０】
2008140901.tif 000012
【図１１】
2008140901.tif 000013
【図１２】
2008140901.tif 000014
【図１３】
2008140901.tif 000015
【図１４】
2008140901.tif 000016
【図１５】
2008140901.tif 000017
【図１６】
2008140901.tif 000018